(57)【要約】汎用性に富むサングラス保持体を備えたキャップであって、保持体をなす空隙に挿入・保持し得るつるやエンドピースを備えたあらゆる種類の眼鏡を保持することができる。保持用のパッチは、四角形かつ平坦であって、野球用キャップ等のキャップについて用いるのに適する寸法を有する。パッチの上側エッジが、凸形をなすように押し下げられ、その４隅に取り付け部を設けると共に凸形部の底の部分にも取り付け部を設けることができる。このようにして、取り付け部間に、眼鏡のエンドピースを挿入するための５つの開口が画定される。キャップを着用したときに、眼鏡のつるやエンドピースを、パッチ・キャップ間空隙に係合することにより、着用者の頭に眼鏡を保持することができる。保持用のパッチは、通常対をなして用いられ、眼鏡のつるやエンドピースの両端を保持し、眼鏡を着用者の頭に良好に保持することができる。眼鏡を、そのフレームを介して摩擦係合し、パッチ・キャップ間空隙に係合することにより、単に着用者の頭に保持するばかりでなく、様々な姿勢或いは位置をもって保持することができる。特に、パッチの形状及び位置、またその取り付け部の位置のおかげで、様々な態様で眼鏡を保持するための汎用性に富む眼鏡保持手段を提供することができる。
2006514174.tif 000002
【特許請求の範囲】
【請求項１】
パッチを備えたキャップであって、
眼鏡等を前記キャップに保持するために、前記眼鏡等の一部を挿通するための複数の開口を画定するパッチを備え、前記パッチが四角形をなし、その隅部に於いてのみ前記キャップに取り付けられていることにより前記開口を画定することを特徴とするキャップ。
【請求項２】
前記四角形のエッジの１つが凹形をなすことを特徴とする請求項１に記載のキャップ。
【請求項３】
前記パッチが四角形をなし、その隅部及び前記凹形エッジに於いて前記キャップに取り付けられていることにより、これら取り付け部分間に、前記パッチと前記キャップとの間のパッチ・キャップ間空隙へのアクセスを可能とする５つの開口を画定することを特徴とする請求項２に記載のキャップ。
【請求項４】
眼鏡等を帽子に保持するための方法であって、
帽子を提供する過程と、
四角形のパッチを提供する過程と、
前記パッチをその隅部に於いてのみ前記帽子に取り付け、開口を有するパッチ・帽子間空隙を画定し、眼鏡等のつるを前記開口から前記パッチ・帽子間空隙内に挿入可能とする過程とを有し、
眼鏡等を帽子に選択的に保持可能としたことを特徴とする方法。
【請求項５】
前記帽子が野球用キャップからなることを特徴とする請求項４に記載の方法。
【請求項６】
前記パッチが、四角形の隅部に於いて前記帽子に取り付けられていることにより、これら取り付け部分間に、前記パッチと前記帽子との間のパッチ・帽子間空隙へのアクセスを可能とする複数の開口を画定することを特徴とする請求項５に記載の方法。
【請求項７】
前記四角形のエッジの１つが凹形をなすことを特徴とする請求項５に記載の方法。
【請求項８】
前記パッチが、その四角形の隅部及び前記凹形エッジに於いて前記帽子に取り付けられていることにより、これら取り付け部分間に、前記パッチと前記帽子との間のパッチ・帽子間空隙へのアクセスを可能とする５つの開口を画定することを特徴とする請求項７に記載の方法。
【請求項９】
前記凹形エッジが、前記帽子に対して上向きに配置されていることを特徴とする請求項８に記載の方法。
【請求項１０】
前記取り付け部分が、前側開口と、前部上側開口と、後部上側開口と、後側開口と、下側開口とを画定し、これらの開口のいずれにも眼鏡等のつるを挿入可能としたことを特徴とする請求項９に記載の方法。
【請求項１１】
前記パッチを、前記帽子を着用する者の概ね耳の上方位置に配置することを特徴とする請求項４に記載の方法。
【請求項１２】
第１及び第２のパッチを、前記帽子の両側に配置することを特徴とする請求項４に記載の方法。
【請求項１３】
眼鏡等を帽子に保持するための方法であって、
野球用キャップ型の帽子を提供する過程と、
凹形をなす上側エッジを有する概ね四角形のパッチを提供する過程と、
前記パッチが、その四角形の隅部及び前記凹形エッジに於いて前記帽子に取り付けられていることにより、これら取り付け部分間に、前記パッチと前記帽子との間のパッチ・帽子間空隙へのアクセスを可能とする５つの開口を画定し、眼鏡等のつるを前記開口から前記パッチ・帽子間空隙内に挿入可能とし、前記取り付け部分が、前側開口と、前部上側開口と、後部上側開口と、後側開口と、下側開口とを画定し、これらの開口のいずれにも眼鏡等のつるを挿入可能とする過程と、
前記パッチを、前記帽子を着用する者の概ね耳の上方位置に配置する過程とを有することにより、眼鏡等を帽子に選択的に保持可能としたことを特徴とする方法。
【請求項１４】
第１及び第２のパッチを、前記帽子の両側に配置する過程を更に有することを特徴とする請求項１３に記載の方法。
【請求項１５】
眼鏡等を選択的に保持可能とした帽子であって、
クラウンと、
開口を有するパッチ・クラウン間空隙を画定し、前記開口から前記空隙内に眼鏡等のつるを挿通し得るように、前記クラウンに取り付けられた概ね四角形のパッチとを有することにより、
眼鏡等を帽子に選択的に保持可能とし、
前記パッチが、その隅部に於いて前記クラウンに取り付けられていることにより、複数の開口を画定し、これら開口から前記空隙内に眼鏡等のつるを挿通し得るようにすると共に、前記四角形のエッジの１つが凹形をなすことを特徴とする帽子。
【請求項１６】
前記パッチが、その四角形の隅部及び前記凹形エッジに於いて前記クラウンに取り付けられていることにより、これら取り付け部分間に、前記パッチと前記クラウンとの間のパッチ・クラウン間空隙へのアクセスを可能とする５つの開口を画定することを特徴とする請求項１５に記載の帽子。
【請求項１７】
前記凹形エッジが、前記クラウンに対して上向きに配置されていることを特徴とする請求項１６に記載の帽子。
【請求項１８】
前記取り付け部分が、前側開口と、前部上側開口と、後部上側開口と、後側開口と、下側開口とを画定し、これらの開口のいずれにも眼鏡等のつるを挿入可能としたことを特徴とする請求項１７に記載の帽子。
【請求項１９】
眼鏡等を選択的に保持可能とした野球用キャップであって、
クラウンと、
開口を有するパッチ・クラウン間空隙を画定し、前記開口から前記空隙内に眼鏡等のつるを挿通し得るように、前記クラウンに取り付けられたパッチとを有し、
前記パッチが、概ね四角形をなし、そのエッジの１つが凹形をなし、
その四角形の隅部及び前記凹形エッジに於いて前記クラウンに取り付けられ、前記凹形エッジを上側に設けることにより、これら取り付け部分間に、前記パッチと前記クラウンとの間のパッチ・クラウン間空隙へのアクセスを可能とする前側開口と、前部上側開口と、後部上側開口と、後側開口と、下側開口とからなる５つの開口を画定し、眼鏡等のつるを、これらの開口のいずれからも前記パッチ・クラウン間空隙に挿入可能とし、前記パッチが、前記キャップを着用する者の概ね耳の上方位置に配置され、
眼鏡等を前記キャップに選択的に保持可能としたことを特徴とするキャップ。
【請求項２０】
前記パッチが第１のパッチからなり、第２のパッチが前記クラウンに取り付けられ、前記第１及び第２のパッチが、前記帽子の両側に配置されることを特徴とする請求項１９に記載の、眼鏡等を選択的に保持可能とした野球用キャップ。
【請求項２１】
帽子に取り付けられたときに、眼鏡等の一部を挿入することにより前記眼鏡等を前記帽子に対して保持可能とする複数の開口を画定すると共に、概ね四角形をなし、そのエッジの１つが凹形をなすことを特徴とするパッチ。
【請求項２２】
その四角形の隅部及び前記凹形エッジに於いて前記クラウンに取り付けられていることにより、これら取り付け部分間に、前記パッチと前記クラウンとの間のパッチ・クラウン間空隙へのアクセスを可能とする５つの開口を画定することを特徴とする請求項２１に記載の、帽子に取り付けられたときに眼鏡等を保持可能とするための帽子取り付け用のパッチ。
【発明の詳細な説明】
【技術分野】
【０００１】
本発明は、眼鏡、サングラス等を保持するための構造に関し、特に眼鏡等をキャップに保持する目的で、眼鏡等のエンドピースを挿入するためのパッチを両側に備えたサングラス保持体を備えたキャップに関する。
【背景技術】
【０００２】
野球用のキャップ等のキャップは良く知られており、レジャー、スポーツ用にしばしば用いられる。キャップのボール、クラウン、あるいは本体と呼ばれる部分は着用者の頭を被い、日光から頭を保護し、ビル、つばあるいはバイザーと呼ばれる部分はクラウンから概ね水平方向に延出し、目を日光から被う働きを有する。野球用キャップは概ね全体が布から出来ており、つばのためにボール紙、プラスチック等の剛性を有する材料を用いる場合がある。キャップはいくつかの部分からなっており、着用者の頭に対して弾性的に係合するために伸縮自在なヘッドバンドを用いるものであってよい。
【０００３】
着用者の目を一層保護するために、キャップと共にサングラスを着用する場合がある。サングラスは、角膜や網膜等が紫外線を吸収することにより損傷を受ける場合があることから、着用者の目を紫外線に対して保護するために用いられる。皮膚が紫外線により損傷を受けるのと同様に、目も、その様な高エネルギーの光を吸収することにより損傷を受ける場合がある。特定の偏光方向のみ着用者の目に伝達するように偏光されたサングラスが用いられる場合もある。偏光サングラスによって、特に反射光に対する眩しさを軽減することが出来る。
【０００４】
この様なサングラスは、処方されるものも、処方されずに販売されるものもあるが、いずれも同様な構造を有する。眼鏡は一般にレンズ保持部分と、両目の間で鼻を跨ぐように設けられたブリッジとを有する。つるは、レンズ保持体にヒンジ結合され、顔の表面から後方に延在し、そのエンドピースにより耳に引っ掛けられる。眼鏡は一般に、鼻及び耳の後部との摩擦係合により着用者の顔に保持される。眼鏡を着用することの１つの利点は、必要に応じて眼鏡を取り外し、眼鏡のレンズによって変更を受けていない像を肉眼により見ることが出来る点にある。
【０００５】
従来技術にも示されるように、帽子あるいはキャップを、サングラスを含む眼鏡を保持するために用いることが出来るのではないかという着想は、従来からあり、今までも幾つかの試みがなされたが、あまり利点が無い割に、幾つかの欠点があったのが実情であったが、それは技術進歩により解決し得るものであると考えられる。
【０００６】
そのような従来技術としては、次のようなものがある。米国特許第6,298,495号、米国特許第6,282,721号、米国特許第6,247,177号、米国特許第6,237,159号、米国特許第6,185,748号、米国特許第5,887,287号、、米国意匠登録第384,488号、米国特許第4,179,753号、米国特許第264,574、国際出願公開ＷＯ02/46828及び特開平09-228,133。
【０００７】
上記した従来の眼鏡を保持し得る帽子に関する従来技術のうちの関連性の強いものについては、以下に詳しく言及する。
【０００８】
米国特許第6,237,159号には、眼鏡のエンドピースを保持するための折り返し部が帽子の両側に備えられているような帽子が開示されている。図２及びコラム２の第６０行以下に関連する記載があるが、眼鏡を保持する目的を達成する上で不十分なものである。
【０００９】
米国特許第4,179,753号には、帽子の両側に、前向きに開かれたポケットが縫い付けられ、眼鏡のつるの端部を受容し得るようにした眼鏡保持用の帽子が開示されている。更に、帽子の側面につるを保持するためのループを縫いつけることも開示されている。図１（部分１６、１８、２０）及び４（部分５６、６０、６２、６４）にそれらの要素が図示されている。
【００１０】
米国特許第6,298,495号には、帽子の両側に孔を設け、それをコラム１、第６３行以下に記載されているように、眼鏡のつるを保持するために用いるような構成が開示されている。
【００１１】
米国特許第5,860,167号には、眼鏡のつるを保持するためのループを帽子の両側に設けた構成が開示されている。図１（部分１２２）及びコラム４、第２６−３２行に、その概念が詳しく記載されている。
【００１２】
米国特許第6,247,177号、米国特許第6,282,721号、米国特許第5,887,287号、米国特許第6,185,748号及び米国特許第264,574の特許明細書には、眼鏡を、使用されていない時に保持するための手段を備えた帽子が開示されている。
【００１３】
米国特許第5,860,167号は、眼鏡保持用の帽子と同様の概念に基づき、葉巻を保持する構成を備えた帽子を示している。更に、外国特許出願に於いてもこの様な技術が開示されており、国際出願公開ＷＯ02/46828は、その図１−６に示されるように帽子に取り付けられる眼鏡ホルダを開示しており、特開平09-228,133は、眼鏡を取り付けるための孔を備えた帽子を開示している。
【００１４】
この様に、眼鏡やサングラスを保持する部材が当該技術分野に於いて知られているにも関わらず、これらは、着用者の便宜に応じて様々な姿勢あるいは態様をもって保持し得るような汎用性に富む物ではなかった。実際、眼鏡保持部材の多くは、眼鏡を１つの姿勢に於いてのみ保持し得るものである。従って、眼鏡の様々な姿勢あるいは位置で保持し得るような眼鏡保持部材を提供し、着用者がその必要に応じて眼鏡を顔から外し、帽子やキャップに好きな形で保持し得ることは、当該技術分野における進歩を達成するものである。
【発明の開示】
【００１５】
このような眼鏡保持手段を備えた従来のキャップや帽子或いは関連する部材に付随する欠点に鑑み、本発明は、眼鏡等を顔から外したときに、それを保持するための汎用性を有するサングラス保持体或いは保持部材を備えた新規なキャップを提供する。
【００１６】
以下に詳しく述べる本発明の一般的な目的は、上記したような眼鏡保持部材の利点を備えた、キャップや帽子に眼鏡等を保持可能とするような手段を提供することにあり、しかも、これは、従来技術に基づく眼鏡保持部材から、或いはそれらの組み合わせから予想されたり、自明であったり、示唆されたり、教示されたり、黙示的に開示されているものではない、多様性を有し、かつ汎用性に富む新規なキャップを提供するような新規な特徴を有するものである。
【００１７】
野球用キャップ等のキャップは、着用者の耳の上方、或いは眼鏡の構造に応じて適宜とされる位置に互いに対向するように配置されたパッチを有する。このようなパッチは、一般に、概ね四角形をなすパッチの４隅及び、四角形のパッチの内側に向けてやや押し下げられた上側エッジの中間位置からなる５箇所でキャップに対して、締着、固定或いは取り付けられる。
【００１８】
このようなパッチの構造により、パッチがキャップに取り付けられた部分の間にいくつかのスロットが形成され、このようにして形成されたパッチ・キャップ間空隙に、眼鏡或いはサングラスのつるのエンドピースを保持することができる。取り付け部分の構造に応じて、眼鏡保持用のパッチは、眼鏡を、正立位置、倒立位置、着用者の額上位置、着用者の眉の上の位置、着用者の頭の上の位置等の様々な便利且つ有用な位置に保持し、着用者の顔から安全に着脱し得るように、キャップ上に簡単に保持可能とする。
【実施例】
【００１９】
以下の添付の図面を参照する説明は、本発明の好適実施例についてのものであって、本発明を実施する態様を何ら限定的するものではないことを了解されたい。以下の説明は、実施例について、本発明の機能、製造或いは動作の過程に関するものを含む。しかしながら、別の実施例によっても、同様の或いは均等な機能或いは過程を実現することができ、そのような別実施例も、本発明の概念に含まれることを了解されたい。
【００２０】
図面中、同様の部分には同様の符号を付した。キャップ１００自体は、概ね知られた構造を有している。本発明に基づくキャップは、野球用キャップその他眼鏡やサングラス等を保持し得る任意の形式のものであってよい。
【００２１】
キャップ１００は、概ね半球状をなし、着用者の頭の上部を被うべく構成されたボール、クラウンあるいは本体１０２を有する。ビル、つばあるいはバイザー１０４は、この様な野球用キャップあるいは販売促進用に無料で配布されるキャップ等に於いて広く見られるもので、クラウン１０２の下側外周部から概ね水平方向に延出し、着用者の目を日光から遮蔽する。図示されたものを含む或る実施例に於いては、つば１０４は着用者の目及び頭に対して凹形をなしており、横方向からの日の光に対しても着用者の目を遮蔽することが出来る。図１Ａに示された眼鏡１０６は、フレーム１１０により外囲されたレンズ１０８を有し、これらのフレームはブリッジ１１２を介して両レンズ１０８を互いに結合する。つる１１４がフレームの両側に取り付けられており、それぞれ対応するフレーム１１０にヒンジ結合されている。つる１１４は、フレーム１１０から概ね後向きに延出し、眼鏡を着用する際に着用者の耳に巻き付けるような湾曲形状を有するエンドピース１１６をその後端部に備えている。ここでいう眼鏡とは、着用者の目に光をレンズを通して送り込むために着用者の顔に着脱可能に固定し得るようなあらゆる器具を指すものとする。この様な眼鏡は、サングラス、老眼鏡、遠近両用眼鏡その他、非使用時に着用者の顔から取り外し、キャップ１００に一時的に保持するために用い得る、つる及びエンドピースを備えたあらゆる器具を指すものとする。
【００２２】
図１Ａは、眼鏡保持用パッチ１３０を介して眼鏡１０６をキャップ１００に係合する１つの構成を示す。図１Ａに示されるように、眼鏡１０６の左側エンドピース１１６はパッチ１３０とキャップ１００のクラウン１０２との間に挿入される。パッチ１３０は、１つ又は複数のファスナー１３２を介してクラウン１０２に固定、締結あるいは取り付けられる。図面中に於いて、眼鏡１０６をパッチ・帽子空隙により保持するための汎用性に富む保持手段を提供するように非対称に配置された５つの締結部が用いられている。
【００２３】
図１Ｂはパッチ１３０の拡大図を示す。エンドピース１１６が、パッチ１３０の裏側であって且つキャップ１００のクラウン１０２の表側にある様子が想像線により示されている。
【００２４】
パッチ１３０は、パッチ１３０の四角形の隅に対応する部分に５つの取付部１３２を有する。５番目の取付部１３６は、上側の２つの取付部１３８の概ね中間位置に取り付けられており、上側のエッジ１３４が凸形をなすため、第５の取付部１３６は、上側の２つの隅の取付部１３８と共に下向きに尖った三角形を画定し、眼鏡のエンドピース１１６又はつる１１４を、取付部１３２の間に画定された１つ又は複数の開口１４０に挿入する際に、ある程度の方向性を与えるようなガイドを提供するようにしてある。図１Ｂに示されるように、５つの取付部１３２は、４つの隅の取付部１３８及び上側中央部の第５の取付部１３６を含む。取付部１３２は、エンドピース１１６及びつる１１４の端部を挿入し、パッチ１３０とキャップ１００のクラウン１０２との間の圧力又は摩擦により保持し得るように５つの開口を画定する。
【００２５】
第５の取付部１３６がオフセットしていることにより、眼鏡保持用パッチ１３０の更なる機能性を提供するような角度を持った上側開口１５０を提供する。第５の取付部１３６が２つの隅の取付部１３８に対してオフセットしていることにより、それぞれ前側及び上部後側開口にエンドピース１１６を出し入れすることが容易となる。更に、第５の取付部１３６と２つの隅の取付部１３８との間にやや大きな距離が設けられていることから、それだけ多くの材料が同部分に設けられ、眼鏡１０６を保持する働きを助け、パッチ１３０により保持された眼鏡１０６を、保持するためにパッチ１３０が係合するためにそれだけ大きな面積を利用することが出来る。
【００２６】
図１Ｂに示されるように、エンドピース１１６は前側開口１５２から挿入され、下側開口１５４の近傍に達することが出来る。後側開口１５６は頭の後側に保持された眼鏡に対してパッチ１３０が係合するのを可能にする。上側開口１５０は、上部前側開口１５８及び上部後側開口１６０を有する。
【００２７】
取付部１３２は、縫い付け、ピン、ステープル、釘、リベット、接着剤その他の締結手段あるいはファスナー等任意の手段あるいは材料をもって構成することが出来る。取付部１３２の目的は、眼鏡保持用パッチ１３０をクラウン１０２に取り付け、開口１４０及びキャップ・パッチ空隙を形成することにより、眼鏡１０６を、パッチ１３０を介してキャップ１００により係合することにある。
【００２８】
エンドピースがどの開口に挿入されたかに応じて、概ね眼鏡１０６の保持姿勢が決定される。以下に記載するように、眼鏡を直立、上下逆さま、後向きあるいは前向きに保持することが出来る。
【００２９】
図２に於いてエンドピース１１６は前側開口１５２に挿入され、その端部が下側開口１５４から突出している。これにより、眼鏡１０６をつば１０４の上方位置であって、且つキャップ１００のクラウン１０２の前側の位置に配置する。これは、図１に示されるようにエンドピース１１６が前側開口１５２に挿入され下側開口１５４から突出せずに、つば１０４の上に載置されている状態と対照的である。
【００３０】
図３は、眼鏡がキャップ１００のクラウン１２の更に上方の位置に配置される構成が示されている。エンドピース１１６は、上部前側開口１５８から挿入され、その先端が下側開口１５４から突出している。これにより眼鏡１０６はクラウン１０２の更に上方の位置に持ち上げられ、図２に示されるような状態となる。
【００３１】
同様に、エンドピースを上部後側開口１６０に挿入し、眼鏡１０６を更に高い位置に配置することも出来る。
【００３２】
或いは、図１Ａ−４に示されるように眼鏡を正立状態で保持する代わりに、眼鏡を倒立状態で保持することも出来る。この場合、エンドピース１１６は下側開口１５４に挿入され、フレーム１１０の上部がつば１０４上に配置され、エンドピースが下側開口１１４から上向きにキャップ・パッチ空隙内に挿入された状態が実現する。同様に、倒立状態の眼鏡１０６のエンドピースを、前側開口１５２と、前部上側開口１５８と、後部上側開口１６０とを含む他の開口から挿入することも出来る。エンドピース１１６がつる１１４に対して湾曲していることから、眼鏡１０６をつば１０４に対して更に持ち上げることが出来る。
【００３３】
この様に、着用者の好みに応じて眼鏡を様々な位置で保持することが出来、取付部１３２を備えたパッチ１３０は眼鏡１０６を保持する上で高い汎用性を提供する。
【００３４】
図４は本発明の別の実施例を示すものでキャップ１００を、つば１０４が着用者の頭の後方から突出するように後ろ前に着用されている。眼鏡１０６は、眼鏡１０６を上下方向に対して保持するためにつば１０４が存在しないにも関わらず、パッチ１３０により保持される。キャップ１００の着用者の頭がつる１１４に対して及ぼす外向きに広がろうとする付勢力を含む摩擦その他の保持手段により、眼鏡１０６は、着用者の頭を被うキャップ１００により保持される。
【００３５】
図１Ａ−３に示されるように前向きに着用したキャップ１００について前記した構成に関する説明は、図４に示されるように前後ろに着用したキャップについても、等しく当てはまる。
【００３６】
パッチ１３０の利点の１つは、あらゆる種類のキャップに後付けできる点にある。従って、製造者は、購入者の希望に応じて眼鏡保持用のパッチ１３０を追加したり、消費者、購入者、使用者或いは着用者が、パッチ１３０の発明以前に製造されたキャップに、眼鏡保持用の便利な機能を追加することができる。
【００３７】
パッチ１３０は、通常、クラウン１０２の両側に対をなして用いられる。通常の使用時には、眼鏡のつる１１４のエンドピース１１６の両端が、それぞれ対応するパッチ１３０に同様に挿入される。しかしながら、使用者は、好みに応じて様々に異なる態様で、単一のパッチを用いたり、パッチの位置を変更したり、２つ以上のパッチに、エンドピース１１６を異なる態様で挿入することもできる。
【００３８】
以上、本発明を特定の実施例について説明したが、本発明の概念から逸脱することなく、本発明を様々に異なる態様で実施することができる。
【図面の簡単な説明】
【００３９】
【図１Ａ】サングラスを第１の位置に保持した状態の汎用サングラス保持具を示す、キャップ、５点で取り付けられたパッチ及び保持されたサングラスの左側方斜視図である。
【図１Ｂ】図１Ａに於いて円１Ｂにより示された５点で取り付けられたパッチの拡大図であって、サングラスのつるがパッチの裏にある様子を示す。
【図２】サングラスを第２の位置に保持した状態のキャップ、図１Ａのパッチ及びサングラスの左前方斜視図である。
【図３】サングラスを第３の位置に保持した状態のキャップ、図１Ａ及び図２のパッチ及びサングラスの左前方斜視図である。
【図４】右側部にパッチを備えたキャップの右後方斜視図であって、キャップが、想像線で示された着用者の頭に後ろ前に着用され、サングラスが左前方斜視図により示されている。
【図１Ａ】
2006514174.tif 000003
【図１Ｂ】
2006514174.tif 000004
【図２】
2006514174.tif 000005
【図３】
2006514174.tif 000006
【図４】
2006514174.tif 000007
【国際調査報告】
2006514174.tif 000008